(57)【要約】      （修正有）【課題】軸体に対しロックが効果的にできると共に軸体から確実にロック解除できるロックナット装置を提供する。【解決手段】軸体に形成されたねじ部に締め込まれる内ねじと少なくとも一つのロック要素８とを有するロックナットであって、少なくとも一つのロックねじ体９によって上記ロック要素がそのロック部８ａが軸体へ圧せられて該ロックナットの不用意な緩みを阻止する該ロックナットにおいて、各ロック要素は、該ロック要素とねじ係合されるように設けられた少なくとも一つの解放ねじ体１０をもつ解放手段を備え、ロックねじ体を緩めた後に、該解放手段がロック要素に対し該ロック要素を半径方向へ引く力を作用せしめて該ロック要素を軸体のねじ部から引き上げることを可能とする。【選択図】図３
0003140085.tif 000002
【実用新案登録請求の範囲】
【請求項１】
軸体に形成されたねじ部に締め込まれる内ねじ（５）と少なくとも一つのロック要素（８）とを有するロックナットであって、少なくとも一つのロックねじ体（９）によって上記ロック要素（８）がそのロック部（８ａ）で軸体へ圧せられて該ロックナットの不用意な緩みを阻止する該ロックナットにおいて、各ロック要素（８）は、該ロック要素（８）とねじ係合されるように設けられた少なくとも一つの解放ねじ体（１０）をもつ解放手段を備え、ロックねじ体（９）を緩めた後に、該解放手段がロック要素（８）に対し該ロック要素（８）を半径方向へ引く力を作用せしめて該ロック要素を軸体のねじ部から引き上げることを可能とするロックナット装置。
【請求項２】
ロック要素（８）はロックナット（１）の内周面に形成された内溝部（６）に収められていること、ロックねじ体（９）と少なくとも一つの解放ねじ体（１０）が、ロックナットの内溝部の底面と一致して位置している、該ロックナット１の半径方向孔（７，１２）内にまで及んで設けられていることとする請求項１に記載のロックナット装置。
【請求項３】
解放ねじ体（１０）は、ロックナット（１）の半径方向直状孔（１２）を貫通していると共にロックナット（１）の上記直状孔と位置そして方向が一致しているロック要素のねじ孔（１１）でねじ係合しており、上記ロックナット（１）の直状孔（１２）は解放ねじ体（１０）がロックナットの直状孔（１２）を通してねじ込まれる距離に制限を与える手段（１３）を有していることとする請求項１又は請求項２に記載のロックナット装置。
【請求項４】
解放ねじ体（１０）が直状孔を通してねじ込まれる距離に制限を与える手段（１３）は解放ねじ体（１０）の頭部と協働する肩部であることとする請求項３に記載のロックナット装置。
【請求項５】
ロックねじ体（９）は、ロックナット（１）のねじ孔（７）とねじ係合するセットねじ体であり、該セットねじ体の端面（９ａ）がロック要素（８）のロック部分（８ａ）から遠い方の面に対して半径内方に向け係合することとする請求項１ないし請求項４のうちの一つに記載のロックナット装置。
【請求項６】
ロックナット（１）の外周面に、軸体上のロックナットをねじ込むための工具が係合する外溝部（３）が形成されていることとする請求項１ないし請求項５のうちの一つに記載のロックナット装置。
【考案の詳細な説明】
【技術分野】
【０００１】
本考案は、軸体に形成されたねじ部に締め込まれる内ねじとロック要素とを有するロックナットであって、少なくとも一つのねじ部材によってロック要素が軸体へ圧せられて該ロックナットの不用意な緩みを阻止する該ロックナットに関する。
【背景技術】
【０００２】
この種のロックナットは、例えば特許文献１で、すでに広く知られている。この特許文献１によるロックナットは、該ナットの内周面に開口せる複数の内溝を有し、各内溝にはねじにより締められているロック要素が配されている。各内溝はテーパ壁部が形成され、ロック要素はこれに対応する形となっており弾性変形可能であって、かくして、これらは弾性によって、ねじが緩められたとき、ロック位置から外方へ向け変位するようになっている。
【特許文献１】スウェーデン特許、ＳＥ−４３５４１７Ｃ
【考案の開示】
【考案が解決しようとする課題】
【０００３】
しかしながら、例えば風力タービンのスピンドルにこのようなナットで大型のものを用いた場合、ねじを緩めたときにロック要素の弾性により得られる復元力がそれらのロック位置からロック要素を移動させるには不十分であり、ロックナットが軸から解放されないということが判った。
【課題を解決するための手段】
【０００４】
本考案によると、上記目的は、軸体に形成されたねじ部に締め込まれる内ねじと少なくとも一つのロック要素とを有するロックナットであって、少なくとも一つのロックねじ体によって上記ロック要素がそのロック部で軸体へ圧せられて該ロックナットの不用意な緩みを阻止する該ロックナットにおいて、各ロック要素は、該ロック要素とねじ係合されるように設けられた少なくとも一つの解放ねじ体をもつ解放手段を備え、ロックねじ体を緩めた後に、該解放手段がロック要素に対し該ロック要素を半径方向へ引く力を作用せしめて該ロック要素を軸体のねじ部から引き上げることを可能とすることにより達成される。
【考案の効果】
【０００５】
このような構成の本考案によると、ロックナットを、信頼性をもって安全なロック効果が得られ、かつ、非常に大きな力を受けるロック位置でも素早くロック解除ができるようにすることができる。
【考案を実施するための最良の形態】
【０００６】
以下、添付図面にもとづき、本考案のロックナットを、さらに詳述する。
【０００７】
図１には本考案によるロックナット１の側面図である。ロックナットはリング部材２を有し、該リング部材はその外周面の複数箇所に外溝部３が形成されていて、ここにフックスパナあるいはインパクトスパナが係合するようになっており、これらのスパナを用いることによって、ロックナットは図示しない軸体のねじ部に締め込まれる。リング部材２の内径には内ねじ５が形成されていて、ここが図示しない上記軸体のねじ部と協働する。このリング部材２の内周には内方に開口する内溝部６が形成されている。この内溝部６は周方向に短く、角度にて、図示の例では、７〜８°であり、平坦な両側の側壁６ａと、該側壁６ａに対して直角な底壁６ｂとにより形成されている。上記リング部材２には、内溝部６の底壁６ｂに開口する半径方向ねじ孔７が穿設されている。図１では、この半径方向ね
じ孔７は一つだけ示されているが、図２及び図３に見られるように、軸線方向には、好ましい例として、複数箇所に穿設されているようにしてもよい。
【０００８】
図３には、図２についてその一部を拡大して示している。これからも判るように、ここにはロックインサート８が設けられており、該ロックインサート８はリング部材２の内溝部６に適合する形をなしている。このロックインサート８は、図示しない軸体にロックナットを締め込むために、該軸体のねじ部と協働するロック部としての内縁部８ａを有している。ロックインサート８は、さらに、貫通ねじ孔１１が形成されている。この貫通ねじ孔１１は、リング部材２に形成された肩部１３を有する直状孔１２と、位置そして方向が一致している。解放ねじ体１０が上記直状孔１２を通り貫けていて、その頭部が上記肩部１３と当接し、該解放ねじ体はロックインサート８の貫通ねじ孔１１に螺入している。
【０００９】
ロックナット１を軸体に対してロックするときには、例えば、該ロックナットを軸体へねじ込むことによって軸体の所定軸方向位置へもたらす。このときには、解放ねじ体１０は前もって直状孔１２に配されており、これを貫通ねじ孔１１へねじ込んでロックインサート８を締めつけることにより、ロックインサート８は内溝部６内で安全な位置で保持されている。このようにしてロックナットが所定軸方向位置にもたらされると、解放ねじ体１０が緩められ、次にセットねじ体９が半径方向ねじ孔７で締めつけられて、それらの端面９ａがロックインサート８を圧するようになり、かくして、該ロックインサートの内縁部８ａが軸体のねじ部に圧せられてロックナットと軸体との間に強い把持力を生ずる。しかる後、解放ねじ体１０が十分に締めつけられ、軸体が設けられている装置の運転中に振動によって上記ロックインサート８が緩むことを防止する。
【００１０】
ロックナット１を取り外すときには、セットねじ体９が緩められ若しくは半径方向ねじ孔７から抜き出され、これによってロックインサート８への押圧力が解除される。特に大型のロックナットでは、ロックインサート８そしてリング部材４における弾性が不十分で、軸体に対する把持力の解除が常に完全になされるとは限らず、すなわち、セットねじ体９が外されたにも拘らず把持力が残ってしまうということがある。
【００１１】
このような状況時に軸体からロックナット１を効果的に解放するためには、解放ねじ体１０をさらにねじ込む。この解放ねじ体１０は直状孔１２とはねじ係合しておらず、ねじ係合はロックインサート８の貫通ねじ孔１１との間でなされているので、解放ねじ体１０を締めることが上記ロックインサート８を引く力を作用することになり、これが軸体から該ロックインサート８を引き上げて上記把持力を解除する。
【００１２】
本考案は図示され説明された形態に限定されるものではなく、本願の実用新案登録請求の範囲の記載にもとづき種々変更が可能である。図示の例では、ロックナットは二つのセットねじ体により締めつけられ、そして一つの解放ねじ体で解放される一つのロックインサートを有していたが、ロックナットは一つ以上の内溝部６を有し、この内溝部が好ましくは、ロックナットのリング部材２の周方向で等間隔位置に形成され、そして各内溝部に対応せるロックインサートが収められているようにできることは明白である。さらには、セットねじ体そして解放ねじ体の数は少ない方が好ましいが、これらのねじ体の数は適宜変更できる。内溝部６とここに収められるロックインサートの形状は実質的に平行六面体形状にできるが、勿論、同様の結果が得られる他の形状も可能である。
【図面の簡単な説明】
【００１３】
【図１】本考案によるロックナットの側面図である。
【図２】図１のロックナットのII−II線断面図である。
【図３】図２の一部を示す拡大断面図である。
【符号の説明】
【００１４】
１  ロックナット
３  外溝部
５  内ねじ
６  内溝部
７  半径方向孔（ねじ孔）
８  ロック要素
８ａ  ロック部（内縁部）
９  ロックねじ体（セットねじ体）
９ａ  端面
１０  解放ねじ体
１１  ねじ孔
１２  直状孔
１３  制限を与える手段（肩部）
【図１】
0003140085.tif 000003
【図２】
0003140085.tif 000004
【図３】
0003140085.tif 000005